(57)【要約】【課題】分解、組み立てを容易にして、保守作業を容易にする。【解決手段】識別ユニット２０は、コネクタ２１を備え、投入された紙幣を識別するフレームユニット１０に着脱可能なユニットである。紙幣を収納する収納ユニット３０のプッシャユニット４０は、フレームユニット１０に装着された状態で、識別ユニット２０がフレームユニット１０に装着されたとき、コネクタ２１と嵌合するコネクタ４１を備え、フレームユニット１０に着脱可能なユニットである。これにより、識別ユニット２０をフレームユニット１０から取り外すと同時に、コネクタ２１とコネクタ４１が外れ、識別ユニット２０を取り付けると同時に、コネクタ２１とコネクタ４１が接続されるので、配線接続の作業をすることなく、容易に分解、組み立てができる。【選択図】        図１
2004157638.tif 000002
【特許請求の範囲】
【請求項１】
投入された紙幣を識別し収納する紙幣識別装置において、
第１のコネクタを備え、投入された紙幣を識別するフレームユニットに着脱可能な識別ユニットと、
前記フレームユニットに装着された状態において、前記識別ユニットが前記フレームユニットに装着されたとき、前記第１のコネクタと嵌合する第２のコネクタを備え、前記紙幣を収納する前記フレームユニットに着脱可能な収納ユニットと、
を有することを特徴とする紙幣識別装置。
【請求項２】
前記識別ユニットは、第１の嵌合部を有し、
前記収納ユニットは、前記識別ユニットが前記フレームユニットに装着されるとき、前記第１の嵌合部と嵌合して前記識別ユニットの位置決めをする第２の嵌合部を有することを特徴とする請求項１記載の紙幣識別装置。
【請求項３】
前記フレームユニットは、前記収納ユニットをスライド挿入するためのスライド機構と穴とを有し、
前記収納ユニットは、前記穴に嵌合して、前記スライド挿入を停止し固定するための突起と連動し、前記突起を前記穴から脱抜するレバーを有することを特徴とする請求項１記載の紙幣識別装置。
【発明の詳細な説明】
【０００１】
【発明の属する技術分野】
本発明は紙幣識別装置に関し、特に自動販売機などにおいて投入された紙幣を識別して収納する処理を行う紙幣識別装置に関する。
【０００２】
【従来の技術】
自動販売機などにおいては、投入された紙幣を紙幣識別装置が識別して、正しく識別できた場合には収納し、正しく識別できなかった場合には返却するという処理を行っている。
【０００３】
従来、紙幣識別装置は、点検や定期的な清掃などの保守作業を容易に行うことができるよう、ユニット化され分解できるようになっている（例えば、特許文献１参照）。図９は、従来の紙幣識別装置の分解斜視図である。図に示すように、従来の紙幣識別装置は、フレームユニット６０、識別ユニット７０、プッシャユニット８０、スタッカユニット９０、及びケーブル１００から構成されている。
【０００４】
フレームユニット６０は、自動販売機の正面の扉に内側から取り付けられるもので、紙幣を収納、排出するための投入口６１を有している。また、フレームユニット６０は、上部両側面に穴６２を有し、正面側にタップ穴６３を有している。
【０００５】
識別ユニット７０は、紙幣の特徴を抽出するためのセンサが設けられ、紙幣の真贋判定を行う。識別ユニット７０は、フレームユニット６０の投入口６１の裏側に取り付けられる。識別ユニット７０は、上部両側面に、フレームユニット６０の穴６２に嵌合する突起７１を有している。突起７１は、識別ユニット７０をフレームユニット６０に装着するときに、穴６２と嵌合することによって、識別ユニット７０をフレームユニット６０に固定するのに使用される。
【０００６】
プッシャユニット８０は、識別ユニット７０から送られてきた、真と判定された紙幣をスタッカユニット９０に押し込む。プッシャユニット８０は、フレームユニット６０の下部内側にねじで取り付けられる。プッシャユニット８０は、フレームユニット６０にねじで固定されるためのねじ穴８１を有している。
【０００７】
スタッカユニット９０は、プッシャユニット８０から押し出される紙幣を収納する。スタッカユニット９０は、プッシャユニット８０に重ね合わされる形で取り付けられる。
【０００８】
ケーブル１００は、識別ユニット７０とプッシャユニット８０が信号の送受信を行うために接続されるケーブルである。
紙幣識別装置を組み立てるには、プッシャユニット８０のねじ穴８１をフレームユニット６０のタップ穴６３にねじで固定する。次いで、識別ユニット７０とプッシャユニット８０をケーブル１００で接続し、識別ユニット７０の突起７１をフレームユニット６０の穴６２に嵌め合わせ、識別ユニット７０をフレームユニット６０に固定する。そして、フレームユニット６０にスタッカユニット９０を固定する。
【０００９】
保守作業で紙幣識別装置を各ユニットに分解するには、スタッカユニット９０をフレームユニット６０から外す。次いで、識別ユニット７０の突起７１をフレームユニット６０の穴６２から外し、識別ユニット７０をフレームユニット６０から外す。そして、識別ユニット７０とプッシャユニット８０を接続しているケーブル１００を手で抜く。次いで、プッシャユニット８０を固定していたねじをドライバで外し、プッシャユニット８０をフレームユニット６０から外す。
【００１０】
【特許文献１】
特開２００１−３１２７５９号公報（第３頁、第１図）
【００１１】
【発明が解決しようとする課題】
しかしながら、従来の紙幣識別装置では、各ユニットに分解するとき、識別ユニットとプッシャユニットを接続しているケーブルを手で抜くという作業が必要であり、また各ユニットを組み立てるとき、ケーブルの配線接続の作業が必要であるため、ユニット化されていても、保守作業は十分に容易ではないという問題点があった。
【００１２】
本発明はこのような点に鑑みてなされたものであり、識別ユニットをフレームユニットから取り外すと同時に、コネクタが外れ、及び識別ユニットをフレームユニットに装着すると同時に、直接コネクタが接続されるようにし、保守作業を容易にした紙幣識別装置を提供することを目的とする。
【００１３】
【課題を解決するための手段】
本発明では上記課題を解決するために、投入された紙幣を識別し収納する紙幣識別装置において、第１のコネクタを備え、投入された紙幣を識別するフレームユニットに着脱可能な識別ユニットと、前記フレームユニットに装着された状態において、前記識別ユニットが前記フレームユニットに装着されたとき、前記第１のコネクタと嵌合する第２のコネクタを備え、前記紙幣を収納する前記フレームユニットに着脱可能な収納ユニットと、を有することを特徴とする紙幣識別装置が提供される。
【００１４】
このような紙幣識別装置によれば、識別ユニットをフレームユニットから取り外すと同時に第１のコネクタと第２のコネクタが外れ、識別ユニットを取り付けると同時に第１のコネクタと第２のコネクタが嵌合されるので、配線接続の作業をすることなく、分解、組み立てができる。
【００１５】
【発明の実施の形態】
以下、本発明の実施の形態を図面を参照して説明する。
図２は、本発明による紙幣識別装置の概観を示す斜視図、図１は、本発明による紙幣識別装置の分解斜視図である。図１，２に示すように、紙幣識別装置は、フレームユニット１０、識別ユニット２０、収納ユニット３０から構成されている。
【００１６】
フレームユニット１０は、自動販売機の正面の扉に内側から取り付けられるもので、紙幣が投入されるための投入口１１を有している。また、フレームユニット１０は、上部両側面に穴１２を有している。
【００１７】
識別ユニット２０は、紙幣の特徴を抽出するためのセンサが設けられ、フレームユニット１０の投入口１１から投入された紙幣の真贋判定を行う。識別ユニット２０は、フレームユニット１０の投入口１１部分の内側に取り付けられる。識別ユニット２０は、底面に他のユニットと信号の送受信を行うためのコネクタ２１を有している。また、識別ユニット２０は、上部両側面にフレームユニット１０の穴１２に嵌合する突起２２を有している。突起２２は、識別ユニット２０をフレームユニット１０に装着するとき、フレームユニット１０の穴１２に嵌合することによって、フレームユニット１０に識別ユニット２０を固定するのに使用される。
【００１８】
収納ユニット３０は、識別ユニット２０によって、真と判定された紙幣を収納する。収納ユニット３０は、識別ユニット２０の装着位置の下側に隣接するよう、フレームユニット１０の内側に取り付けられる。収納ユニット３０は、プッシャユニット４０、スタッカユニット５０から構成されている。
【００１９】
プッシャユニット４０は、識別ユニット２０から送られてくる紙幣をスタッカユニット５０に押し込む。プッシャユニット４０は、識別ユニット２０の装着位置の下側に隣接するよう、フレームユニット１０の内側に固定される。プッシャユニット４０は、上面にコネクタ４１を有している。コネクタ４１は、プッシャユニット４０がフレームユニット１０に装着されている状態で、識別ユニット２０がフレームユニット１０に装着されたとき、識別ユニット２０のコネクタ２１と嵌合する。
【００２０】
スタッカユニット５０は、プッシャユニット４０から押し出される紙幣を収納する。スタッカユニット５０は、プッシャユニット４０に重ね合わされる形で取り付けられる。
【００２１】
図３は、識別ユニットを斜め下方より示す斜視図である。図に示すように、識別ユニット２０は、底面に設けられたコネクタ２１を挟むようにして、穴２３ａ，２３ｂが設けられている。穴２３ａ，２３ｂは、識別ユニット２０がプッシャユニット４０と装着されるときに、プッシャユニット４０に設けられている突起（後述詳細）と嵌合するようになっている。
【００２２】
図４は、フレームユニットにプッシャユニットが取り付けられた状態の斜視図である。図に示すように、プッシャユニット４０は、上面に設けられたコネクタ４１を挟むようにして、突起４２ａ，４２ｂが設けられている。突起４２ａ，４２ｂは、識別ユニット２０のコネクタ２１が、プッシャユニット４０のコネクタ４１と嵌め合わされるとき、識別ユニット２０の穴２３ａ，２３ｂと嵌合するようになっている。このプッシャユニット４０の突起４２ａ，４２ｂと識別ユニット２０の穴２３ａ，２３ｂの嵌合によって、識別ユニット２０とプッシャユニット４０の位置決めがされる。これにより、識別ユニット２０のコネクタ２１とプッシャユニット４０のコネクタ４１の誤挿入を防止することができる。
【００２３】
各ユニットの着脱機構について説明する。図５は、識別ユニットが分離された状態の紙幣識別装置の斜視図、図６は、プッシャユニットが分離された状態の紙幣識別装置の斜視図である。
【００２４】
紙幣識別装置を組み立てるには、図５に示すように、プッシャユニット４０をフレームユニット１０に取り付け固定する。次いで、図３で示した識別ユニット２０の穴２３ａ，２３ｂに、図４で示したプッシャユニット４０の突起４２ａ，４２ｂが嵌合するように、識別ユニット２０を、プッシャユニット４０の上方から装着する。この識別ユニット２０の穴２３ａ，２３ｂとプッシャユニット４０の突起４２ａ，４２ｂの嵌合によって、識別ユニット２０のプッシャユニット４０への装着位置が導かれる。そして、識別ユニット２０の突起２２をフレームユニット１０の穴１２に嵌め合わせて、識別ユニット２０をフレームユニット１０に固定する。これにより、識別ユニット２０のコネクタ２１とプッシャユニット４０のコネクタ４１が接続される。さらに、スタッカユニット５０をプッシャユニット４０に重ね合わせ、固定すると、図１に示した紙幣識別装置に組み上がる。
【００２５】
紙幣識別装置を分解するには、スタッカユニット５０をフレームユニット１０から取り外す。次いで、識別ユニット２０の突起２２をフレームユニット１０の穴１２から外し、識別ユニット２０を上方へ持ち上げ、図５に示すように、識別ユニット２０をプッシャユニット４０から外す。このとき、識別ユニット２０のコネクタ２１は、プッシャユニット４０のコネクタ４１から外れる。そして、図６に示すように、プッシャユニット４０をフレームユニット１０から外す。
【００２６】
このように、識別ユニット２０にコネクタ２１を備え、プッシャユニット４０にコネクタ２１と嵌合するコネクタ４１を備え、互いが直接接続できるようにしたので、識別ユニット２０をフレームユニット１０から取り外すと同時に、識別ユニット２０のコネクタ２１とプッシャユニット４０のコネクタ４１が外れる。識別ユニット２０をフレームユニット１０に取り付けると同時に、識別ユニット２０のコネクタ２１とプッシャユニット４０のコネクタ４１が接続される。従って、配線接続の作業をすることなく、分解、組み立てができ、保守作業が容易にできるようになる。
【００２７】
図７は、フレームユニットを内側より示す斜視図である。図に示すように、フレームユニット１０は、その内側でプッシャユニット４０が装着される面に、穴１３ａ〜１３ｅを有している。穴１３ａ〜１３ｄの周縁は、上方に伸びた突起１４ａ〜１４ｄを有している。
【００２８】
図８は、プッシャユニットの正面側より示す斜視図である。プッシャユニット４０は、フレームユニット１０の装着位置における、フレームユニット１０の穴１３ａ，１３ｂに対向する位置に、突起４３ａ，４３ｂを有している。突起４３ａ，４３ｂは、底面側に、フレームユニット１０の上方に伸びた突起１４ａ，１４ｂが挿入される穴４４ａ，４４ｂを有している。また、プッシャユニット４０は、底部の水平面から下方に伸びた突起４５ａ、Ｌ字型の突起４５ｂを有している。
【００２９】
また、プッシャユニット４０は、片側側面の下部にＬ字型のレバー４６を有している。レバー４６は、プッシャユニット４０のフレームユニット１０の装着位置における、フレームユニット１０の穴１３ｅに対向する位置に突起４６ａを有している。突起４６ａは、レバー４６の先端を上下に動かすことによって、プッシャユニット４０の正面方向及び背面方向に動くようになっている。突起４６ａは、レバー４６の先端を上方に持ち上げると、プッシャユニット４０の背面方向に動き、上方への持ち上げを止めると、レバー４６の弾性力によって、プッシャユニット４０の正面方向に動く。レバー４６は、弾性力を持つために、例えば、プラスチックからなる。
【００３０】
フレームユニット１０とプッシャユニット４０の着脱機構について説明する。プッシャユニット４０を上方からフレームユニット１０に装着するようにする。プッシャユニット４０の突起４３ａ，４３ｂが、フレームユニット１０の穴１３ａ，１３ｂに挿入されるとともに、フレームユニット１０の上方に伸びた突起１４ａ，１４ｂが、プッシャユニット４０の突起４３ａ，４３ｂの底面側に設けられた穴４４ａ，４４ｂに挿入される。さらに、プッシャユニット４０の突起４５ａ，４５ｂが、フレームユニット１０の穴１３ｃ，１３ｄに挿入されるとともに、フレームユニット１０の上方に伸びた突起１４ｃ，１４ｄが、プッシャユニット４０の突起４５ａ，４５ｂの背面側に入り込む。
【００３１】
これにより、プッシャユニット４０は、フレームユニット１０の上下方向にスライドさせることによって取り付けられる。そして、フレームユニット１０の正面、背面方向には、移動できなくなる
そして、プッシャユニット４０のレバー４６の突起４６ａが、フレームユニット１０の穴１３ｅに嵌め合わされると、プッシャユニット４０は、フレームユニット１０の上下方向にも移動することができなくなり、フレームユニット１０に固定される。
【００３２】
プッシャユニット４０をフレームユニット１０から外すときは、プッシャユニット４０のレバー４６を上方に持ち上げる。レバー４６の突起４６ａは、プッシャユニット４０の背面方向に移動し、フレームユニット１０の穴１３ｅから外れる。これにより、プッシャユニット４０は、フレームユニット１０に対し、上方にスライド可能となる。プッシャユニット４０を上方に持ち上げ、各突起と各穴が外れれば、フレームユニット１０から取り外すことができる。
【００３３】
このように、フレームユニット１０にプッシャユニット４０をスライド挿入するためのスライド機構と穴１３ｅを設けた。そして、プッシャユニット４０にレバー４６を設け、このレバー４６に、穴１３ｅに嵌合することによって、スライド挿入を停止し固定するための突起４６ａを設けた。従って、レバー４６を操作することによって、ドライバなどの工具を用いることなく、フレームユニット１０とプッシャユニット４０を容易に着脱することができる。
【００３４】
【発明の効果】
以上説明したように本発明では、識別ユニットに第１のコネクタを備え、収納ユニットに第１のコネクタと嵌合する第２のコネクタを備えて、識別ユニットをフレームユニットから取り外すと同時に第１のコネクタと第２のコネクタが外れ、識別ユニットを取り付けると同時に第１のコネクタと第２のコネクタが接続されるようにした。これにより、配線接続の作業をすることなく、分解、組み立てができ、保守作業が容易にできるようになる。
【図面の簡単な説明】
【図１】本発明による紙幣識別装置の分解斜視図である。
【図２】本発明による紙幣識別装置の概観を示す斜視図である。
【図３】識別ユニットを斜め下方より示す斜視図である。
【図４】フレームユニットにプッシャユニットが取り付けられた状態の斜視図である。
【図５】識別ユニットが分離された状態の紙幣識別装置の斜視図である。
【図６】プッシャユニットが分離された状態の紙幣識別装置の斜視図である。
【図７】フレームユニットを背面側より示す斜視図である。
【図８】プッシャユニットの正面側より示す斜視図である。
【図９】従来の紙幣識別装置の分解斜視図である。
【符号の説明】
１０  フレームユニット
１３ａ〜１３ｅ，２３ａ，２３ｂ，４４ａ，４４ｂ  穴
１４ａ〜１４ｄ，４２ａ，４２ｂ，４３ａ，４３ｂ，４５ａ，４５ｂ，４６ａ突起
２０  識別ユニット
２１，４１  コネクタ
３０  収納ユニット
４０  プッシャユニット
４６  レバー
５０  スタッカユニット
【図１】
2004157638.tif 000003
【図２】
2004157638.tif 000004
【図３】
2004157638.tif 000005
【図４】
2004157638.tif 000006
【図５】
2004157638.tif 000007
【図６】
2004157638.tif 000008
【図７】
2004157638.tif 000009
【図８】
2004157638.tif 000010
【図９】
2004157638.tif 000011